(57)【特許請求の範囲】
【請求項１】
コアネットワークと複数の制御素子（２２、２６、２８）とを含み、各制御素子が無線伝送により複数の移動ユーザ機器（２０）に接続可能である移動通信ネットワークにおいて、各ユーザ機器に複数の信号関連パラメータを通信する方法であって、
パラメータを、半静的であるパラメータの第１グループとダイナミックであるパラメータの第２グループとにグループ分けするステップと、第１グループのパラメータをユーザ機器に記憶するステップとを有し、
シグナリング要求が無線インタフェースを介して送信すべきときには、ユーザ機器に第２グループのパラメータを送信する（３２）ステップと、ユーザ機器がシグナリング要件に関連する第１グループのパラメータを記憶しているか否かを問い合わせるステップとを含み、
ユーザ機器は、シグナリング要件に関連する第１グループのパラメータをユーザ機器が記憶していないことをネットワークに報告（３６）し、
ネットワークは、第１グループのパラメータをユーザ装置に送信（３８）し、
ユーザ機器はこれらのパラメータを記憶し、そして、
ネットワークは、シグナリング要件を実行する（４０）ことを特徴とする方法。
【請求項２】
請求項１に記載の方法であって、前記第１の半静的グループのパラメータは、ユーザ機器が最も頻繁に使用するサービス用のアップリンクとダウンリンクの接続パラメータに関連することを特徴とする方法。
【請求項３】
請求項１に記載の方法において、前記第１の半静的グループのパラメータは、ユーザ機器の圧縮モード動作に関連することを特徴とする方法。
【請求項４】
請求項２に記載の方法において、前記第１の半静的グループのパラメータがプロファイル識別子グループにさらに分割され、その各々が、最も頻繁に使用するサービスに対する所定の設定番号Ｎとその設定番号のバージョンＶとを特定することを特徴とする方法。
【請求項５】
請求項４に記載の方法において、ユーザ機器が最も頻繁に使用するサービスのうちの１つを要求（３０）するときには、ネットワークはユーザ機器に対し所定の設定番号ＮとバージョンＶの使用を要求（３２）し、ユーザ機器がそのバージョンＶを記憶しているときには、ユーザ機器は端末の準備完了メッセージを送り返す（３４）ことを特徴とする方法。
【請求項６】
請求項４に記載の方法において、ユーザ機器が最も頻繁に使用するサービスのうちの１つを要求（３０）するときには、ネットワークはユーザ機器に対し所定の設定番号ＮとバージョンＶの使用を要求し（３２）、ユーザ機器がそのバージョンＶを記憶していないときには、ネットワークはユーザ機器が記憶している所定の設定番号ＮとバージョンＶのパラメータをそのユーザ機器に送る（３８）ことを特徴とする方法。
【請求項７】
請求項６に記載の方法において、前記端末は設定番号ＮのバージョンＶに関連するパラメータを記憶することを特徴とする方法。
【請求項８】
請求項１乃至７のいずれかに記載の方法において、第１グループのパラメータがネットワークの放送チャネル上でユーザ機器に間欠的に放送されることを特徴とする方法。
【請求項９】
無線伝送により複数の移動ユーザ機器（２０）に接続可能な移動通信ネットワーク用の制御素子（２２、２６、２８）であって、
ユーザ機器が頻繁に用いられるサービスを要求したときには、要求されたサービスに関連するダイナミックなシグナリング関連パラメータを無線インタフェースを介してユーザ機器に送るよう制御素子は構成され、制御素子は、要求されたサービスに関連する半静的なシグナリング関連パラメータを記憶しているか否かを示すようユーザ機器に要求するよう構成され、そして制御素子は、半静的なパラメータのグループを記憶していないとの報告をユーザ機器から受領したことに応動して、半静的なパラメータのグループをユーザ機器へ送信するよう構成されており、そして、
制御素子はさらに、半静的なパラメータのグループをユーザ機器が記憶しているという肯定的な指示を受領したことに応動して、呼の設定を完了させるよう構成されていることを特徴とする制御素子。
【請求項１０】
請求項１に記載の方法において、半静的なパラメータは、ネットワークのレイヤ１、２、３を設定するために予め規定されたものであることを特徴とする方法。
【請求項１１】
請求項１に記載の方法において、ダイナミックなパラメータは、周波数チャネル化及びスクランブル符号を規定することを特徴とする方法。
【発明の詳細な説明】
【０００１】
【発明の属する技術分野】
本発明は、移動通信ネットワークにおいて、シグナリング負荷を低減する方法と装置に関し、特に、無線インタフェースを介しての移動端末へのシグナリング負荷を低減する方法と装置に関する。
【０００２】
【従来の技術】
現在の汎用移動電話システム（Universal mobile Telephone System：ＵＭＴＳ）においては、移動端末とネットワークとの間の各無線接続に対して、大量のパラメータ（例えばチャネル符号化、物理層、無線ベアラ、物理トランスポート、接続用論理チャンネルに関連するパラメータ）を、アップリンクとダウンリンクの両方に対し特定する（指定する）ことが必要である。個々のユーザのニーズを満たすために、また非常に高いレベルの柔軟性を与えるために、２００個ものパラメータを指定する必要がある。現在のところ、各無線リンクの設定は、モジュラ方式で行われ、パラメータの全部の組が、ネットワークからレイヤ１ないし３用に移動局に送られる。
【０００３】
図１の構成においては、ユーザ機器１０（１）からユーザ機器１０（ｎ）が、ノードＢ１２に無線リンクで接続されている。ノードＢ１２は、コアネットワーク１６に接続された無線ネットワーク制御器１４により制御された、数個のノードＢのうちの１つである。ノードＢ１２と無線ネットワーク制御器１４が、ＵＭＴＳ地上波無線アクセスネットワーク（UMTS Terrestrial Radio Access Network：ＵＴＲＡＮ）を構成する。
【０００４】
各ユーザ機器１０が設定されると、ノードＢ１２は、個々の無線資源制御（Radio Resource Control：ＲＲＣ）メッセージを、矢印Ａ（１）．．．Ａ（ｎ）で示されたように、そのＵＥに送る。ＲＲＣメッセージは例えば、３ＧＰＰ標準で規格化された「ＲＢ Ｓｅｔ Ｕｐ」メッセージである。
【０００５】
【発明が解決しようとする課題】
現在の構成の欠点は、ＵＴＲＡＮが、移動局がネットワークに接続されるごとに、エアインタフェースを介して設定メッセージを送るために、無線資源が浪費されることである。
【０００６】
本発明の目的は、無線資源の無駄遣いが少なくなるように、移動機器の接続方法を改善することである。
【０００７】
【課題を解決するための手段】
本発明によれば、本発明は請求項１に記載した特徴を有する。すなわち、コアネットワークと複数の制御素子（２２、２６、２８）とを含む移動通信ネットワークにおいて各制御素子は、無線伝送により複数の移動ユーザ機器（２０）に接続され、各ユーザ機器に複数の信号関連パラメータを通信する方法において、（Ａ）パラメータを第１の半静的グループと、第２のダイナミックグループにグループ分けし、第１グループのパラメータをユーザ機器に記憶するステップと、シグナリング要求が無線インタフェースを介して送信すべき時に、（Ｂ）ユーザ機器に、第２グループのパラメータを送信するステップ（３２）と、（Ｃ）ユーザ機器が、シグナリング要件に関連する第１グループ内のパラメータを、機器内に記憶しているか否かを問い合わせるステップと、（Ｄ）記憶している場合には、シグナリング要件を実行するステップとを有することを特徴とする。
【０００８】
さらに本発明によれば、本発明は請求項９に記載した特徴を有する。すなわち、無線伝送により、複数の移動ユーザ機器（２０）に接続可能な移動通信ネットワーク用の制御素子（２２、２６、２８）において、ユーザ機器が頻繁に用いられるサービスを要求したとき、制御素子はユーザ機器に対し、無線インタフェースを介し、要求されたサービスに関連するダイナミックなシグナリング関連パラメータを送り、ユーザ機器に対し、要求されたサービスに関連する半静的なシグナリング関連パラメータを記憶しているか否かを示すよう要求し、ユーザ機器から肯定的な指示を受領したときには、呼の設定を完了させることを特徴とする。
【０００９】
制御素子は、ノードＢである。
【００１０】
さらに本発明によれば、本発明は請求項１０に記載した特徴を有する。すなわち、通信ネットワーク用の移動ユーザ機器（２０）において、移動ユーザ機器は、無線伝送を介してネットワーク内の制御素子（２２、２６、２８）に接続可能であり、移動ユーザ機器は、自分自身内に半静的なシグナリング関連パラメータのグループを記憶することを特徴とする。
【００１１】
【発明の実施の形態】
図２において、ユーザ機器２０（１）から２０（ｎ）は、ノードＢ２２により制御されている。ノードＢ２２は、無線ネットワーク制御器２４により制御され、ノードＢ２６、２８もまた制御されている。
【００１２】
ノードＢ２２、２６、２８は、無線ネットワーク制御器２４により第１グループの半静的パラメータ（矢印Ｂで示す）を放送（同報通信）する。半静的（semi-static）パラメータは、標準の放送チャネルで間欠的に放送され、各放送期間は、ノードＢの１つに関連するいずれかのユーザ機器２０がパラメータを受領することができる程度に十分長いものとする。各放送期間の間、標準的な手順である、移動局の放送チャネルへの断続的なログオン（intermittent log-on）が行われる。
【００１３】
放送を受領すると、各ユーザ機器２０は、半静的パラメータを、例えばＳＩＭカード内に記憶する。
【００１４】
別の方法として、静的パラメータを製造業者が予めＳＩＭカード内に記憶させておくこともできる。しかしこのような構成は、半静的パラメータをインターバルの間断続的に放送して更新を可能とするような構成よりも柔軟性がない。
【００１５】
半静的パラメータは、大部分の移動機器のユーザは限られた組のサービス、例えば音声サービス、ファックスサービス、ウェブブラウジングのみを使用できるということに基づいてグループ分けされる。このようなサービスは、ネットワークのレイヤ１、２、３を設定するためのパラメータの約８０％が、あらかじめ決められたものであり、これらが第１グループの半静的パラメータを構成する。残りの２０％のパラメータ、例えば周波数チャネル化と、スクランブル符号のパラアメータは、無線ネットワークによりダイナミックに管理され、パラメータの第２のダイナミックグループを構成する。
【００１６】
呼が設定され、第１グループのパラメータがユーザ機器内に記憶されると、第２グループのパラメータのみを、無線インタフェースを介して送信するだけでよく、これにより無線資源の大幅な削減が可能となる。
【００１７】
より詳細に説明すると、もっとも頻繁に利用されるサービスに関連する第１グループのパラメータは、ネットワークオペレータにより定義され、これは便宜上各サービスに対する所定の設定番号Ｎに関連する「プロファイル識別子」（プロファイル識別子値）で特定され、必要によって「プロファイルバージョン」（プロファイルバージョン値Ｖ）で更新される。
【００１８】
第１の呼の設定手順を図３に示す。ＵＥ２０は、ＵＴＲＡＭ２２、無線ネットワーク制御器２４に、リクエスト３０を送り、このＵＴＲＡＭ２２、無線ネットワーク制御器２４が、ダイナミックな第２グループのパラメータの（明白な）リストと、要求されたサービスに対する所定の設定番号Ｎのうちの１つと、バージョン値Ｖ（３２）の使用のリクエスト等を送る。
【００１９】
ＵＥ２０が設定番号ＮとバージョンＶに対応するパラメータを自分自身の中にすでに記憶している場合には、ＵＥ２０は端末の準備完了手順３４を送り、呼が設定され手順が進む。
【００２０】
図４においては、リクエスト３０、３２が図３と同様に送られる。今回ＵＥ２０は、所定のプロファイルを記憶しておらず、これをＵＴＲＡＭに報告する（レポート３６）。その後ＵＴＲＡＭ２２、無線ネットワーク制御器２４はリスト３８を送り、ＵＥ２０は準備完了手順４０を送る。
【００２１】
図４に示されたメッセージ交換は、ＵＥ２０が第１グループのパラメータの放送バージョンを受領しないとき、あるいは要求されたサービスに対する記録されたバージョンＶが更新されていない時のいずれかに起こる。どちらかが適用されると、ＵＥ２０は、将来使用するためにプロファイル番号ＮバージョンＶを記録する。
【００２２】
第１グループの設定番号ＮまたはバージョンＶのいずれかの有効性に対し、経過時間特定タイマーを設定することも可能である。
【００２３】
本発明は、無線資源の節約のみならず、呼の設定時間の縮小にも適用できる。
【００２４】
別の実施例においては、本発明は圧縮されたモードパターンにも適用可能である。すなわちネットワークが、端末に対し圧縮モードに入ることを要求したとき、および比較的頻繁に繰り返されるキャラクターの長いリストをネットワークがユーザ機器に送るときにも適用可能である。比較的頻繁に繰り返されるキャラクター、すなわち半静的パラメータが、ユーザ装置に放送され、記憶され、そして繰り返しの回数も同様である。
【００２５】
ネットワークが圧縮モードで動作する必要があるときには、ＵＴＲＡＭは、関連するユーザ端末に対し、ユーザ端末が比較的頻繁に繰り返されるキャラクターを記憶しているか否かを問い合わせ、肯定的な応答を受け取ったときには圧縮モードを早急に設定することができる。圧縮モードはＵＭＴＳ標準で規定されている。
【００２６】
この実施例においては、半静的パラメータは、伝送ギャップパターンシーケンスＩ（Transmission Gap Pattern Sequence I）と、ＴＧＰＳ状態フラッグと、伝送ギャップパターンシーケンス構築パラメータ（Transmission Gap Pattern Sequence Configuration Parameters）と、伝送ギャップパターンシーケンス測定目的（Transmission Gap Pattern Sequence Measurement Purpose：ＴＧＭＰ）と、伝送ギャップパターン繰り返しシーケンス（Transmission Gap Pattern Repetition Sequence：ＴＧＰＲＣ）と、伝送ギャップ開始スロット番号（Transmission Gap Starting Slot Number：ＴＧＳＮ）を含む。ダイナミックパラメータは、伝送ギャップパターンシーケンスの接続フレーム番号（Connection Frame Number of the Transmission Gap Pattern Sequence：ＴＧＣＦＮ）である。
【００２７】
本発明によれば、無線資源が節約され、かつ圧縮モードの設定時間も短縮される。
【００２８】
本発明は、ＵＭＴＳを例に説明したが、移動通信ネットワークの将来の世代にも使用可能である。
【００２９】
特許請求の範囲の発明の要件の後に括弧で記載した番号は、本発明の一実施例の対応関係を示すもので本発明の範囲を限定するものと解釈すべきではない。
【図面の簡単な説明】
【図１】従来の移動通信ネットワークを表す図。
【図２】第１グループのパラメータを移動機器に通信する方法を表す図。
【図３】移動機器が、第１グループ内のパラメータをすでに記憶しているときの呼の設定を表すフローチャート図。
【図４】移動機器が、第１グループ内のパラメータを記憶していないときの呼の設定を表すフローチャート図。
【符号の説明】
１０、２０  ユーザ機器
１２、２２、２６、２８  ノードＢ
１４、２４  無線ネットワーク制御器
１６  コアネットワーク
３０  サービスタイプＸに対するリクエスト
３２  所定の設定番号ＮバージョンＶと、ダイナミックパラメータの明白リスト
の使用のリクエスト
３４  端末の準備完了
３６  端末は所定のプロファイルを知らない旨のレポート
３８  設定番号ＮバージョンＶに対応するパラメータの明白リスト
４０  端末の準備完了
【図１】
0004634677.tif 000002
【図２】
0004634677.tif 000003
【図３】
0004634677.tif 000004
【図４】
0004634677.tif 000005